(57)【要約】【課題】Ａ形アルミ製脚立転倒防止装置を提供する。【解決手段】  内部端部を第１支柱と、第２支柱の下部端部に枢接する４つの支持棒と、ほぼ等間隔により、第１支柱と、第２支柱の下部端部に設ける棒固定孔と、第１端部と、第２端部を有し、第１端部をそれぞれ支持棒の中間部分に枢接する４つの連稈と、係る連稈の第２端部と第１、第２支柱の棒固定孔を穿設することによって、かかる連稈を第１支柱及び第２支柱に連結する４つの固定部材と、４つの支持棒を床に貼り付け、連稈を斜め向きに連結することによって、Ａ形アルミ脚立転倒防止の安定性を向上できる。第１支柱と第２支柱のいずれか一つの外壁に対応して、物置フックなどの側棒を設け、側棒をＡ形アルミ脚立の上方に突き出されたとき、使用者が側棒を掴み、安定に立つことができる。さらに、側棒の物置フックは作業者の工具バッグの吊り掛けに用いることができる。【選択図】図１
2016153547.tif 000002
【特許請求の範囲】
【請求項１】
Ａ形アルミ製脚立の転倒防止装置であって、
内部端部を第１支柱と、第２支柱の下部端部に枢接する４つの支持棒と、
ほぼ等間隔により、前記第１支柱と、前記第２支柱の下部端部に設ける棒固定孔と、
第１端部と、第２端部を有し、前記第１端部をそれぞれ前記支持棒の中間部分に枢接する４つの連稈と、
前記連稈の前記第２端部と前記第１、第２支柱の前記棒固定孔を穿設することによって、かかる前記連稈を前記第１支柱及び第２支柱に連結する４つの固定部材と、を備えることを特徴とする、Ａ形アルミ製脚立の転倒防止装置。
【請求項２】
前記支持棒はＬ形棒体であることを特徴とする、請求項１記載のＡ形アルミ製脚立の転倒防止装置。
【請求項３】
前記第１支柱と前記第２支柱のうちいずれかの外壁の対応場所に、連結端部と、作動端部を含む側棒を設けることを特徴とする、請求項１記載のＡ形アルミ製脚立の転倒防止装置。
【請求項４】
そのうち、前記側棒の前記作動端部に物置フックを設けることを特徴とする、請求項３記載のＡ形アルミ製脚立の転倒防止装置。
【請求項５】
そのうち、前記第１支柱と前記第２支柱に前記側棒を組み立てた外壁は、前記側棒に掛ける上部固定台と下部固定台を設けることを特徴とする、請求項３記載のＡ形アルミ製脚立の転倒防止装置。
【請求項６】
前記支持棒を前記第１支柱及び第２支柱両側の下部空間と、前記支持棒の中間空間との間に枢接していて、かつ前記第１支柱と前記第２支柱両側の下部空間は長溝を対応して設け、前記連稈の上端部と前記第１支柱及び第２支柱両側の下部空間に枢接し、前記連稈の下部端部はスクリューを介して、伸縮棒に連結することを特徴とする、請求項１記載のＡ形アルミ製脚立の転倒防止装置。
【請求項７】
そのうち、前記第１支柱と前記第２支柱のいずれかの外壁は上下端部とも制限孔を有するスライド溝を対応して設け、前記２つの制限孔は前記側棒の連結端部の嵌着に用いられ、前記２つの制限孔の間に位置するスライド溝は、前記側棒の前記連結端部を移動するための軌条に用いられ、前記側棒の前記作動端部は常に上向いて、かつＡ形アルミ脚立の最上端部に突き出すことができることを特徴とする、請求項１記載のＡ形アルミ製脚立の転倒防止装置。
【請求項８】
前記第１支柱と前記第２支柱は、複数の踏み板を釣り合って設け、最下部の前記踏み板の内部に横区間と縦区間を含む２つの延長支持台を設け、前記延長支持台の横区間を最下部の前記踏み板の内部に穿設し、前記延長支持台の縦区間の下部端部は前記スクリューを介して、前記伸縮棒に連結することを特徴とする、請求項１記載のＡ形アルミ製脚立の転倒防止装置。
【発明の詳細な説明】
【技術分野】
【０００１】
本発明は、Ａ形アルミ製脚立の転倒防止装置に関するものであり、さらに詳しくは、４つの支持棒を床に貼り付け、連稈を斜め向きに連結することによって、Ａ形アルミ脚立転倒防止の安定性を向上できるＡ形アルミ脚立転倒防止装置に関するものである。
【背景技術】
【０００２】
公知のＡ形アルミ脚立は前部支持棒と、後部支持棒を含み、かかる前部支持棒と後部支持棒上端部の隣接場所を枢設して連結し、前記前部支持棒と後部支持棒両側の間にそれぞれ連稈組を設け、かかる連稈組によって、前部支持棒と後部支持棒桿の寄せ角度の変化を防止することができる。
【発明の概要】
【発明が解決しようとする課題】
【０００３】
以上の説明から、公知のＡ形アルミ脚立を実際に使用した場合、依然として以下の欠点が起きるおそれがある。
【０００４】
イ．Ａ形アルミ脚立の前部支持棒と後部支持棒の下端部は、平坦出ない場所に立つことはできず、そのような場所では、前記Ａ形アルミ脚立は常に転倒の危険がある。
ロ．かかるＡ形アルミ脚立の上方には、使用者が立つときにつかむ構造を設けておらず、高所に立つ作業者の安全性に問題がある。
ハ．かかるＡ形アルミ脚立の上方には、工具バッグを吊り掛ける装置を設けていないので、高所作業者が工具バッグを取るときに不便である。
【課題を解決するための手段】
【０００５】
従って、本発明の主な課題は、Ａ形アルミ脚立の転倒防止装置を提供することにあり、本発明のもう一つの課題は、Ａ形アルミ脚立転倒防止装置を提供することにある。４つの支持棒を床に貼り付け、連稈を斜め向きに連結することによって、Ａ形アルミ脚立転倒防止の安定性を向上できる。さらに、第１支柱と、第２支柱のいずれかの外壁の対応位置に物置フックなどを設けるための側棒を有し、側棒をＡ形アルミ脚立の上方に突き出されたとき、使用者が側棒を掴むことによって安定に立つことができる。かかる側棒によって、高所作業者の安全を向上できるとともに、側棒に設ける物置フックは、作業者の工具バッグの吊り掛けに用いることができる。
【０００６】
かかるＡ形アルミ脚立の転倒防止装置は、内部端部を第１支柱と、第２支柱の下部端部に枢接する４つの支持棒と、ほぼ等間隔により、第１支柱と、第２支柱の下部端部に設ける棒固定孔と、第１端部と、第２端部を有し、第１端部をそれぞれ支持棒の中間部分に枢接する４つの連稈と、Ａ形アルミ脚立の安定性を図るため、連稈の第２端部と第１支柱及び第２支柱の棒固定孔を穿設することによって、連稈を第１支柱及び第２支柱に連結する４つの固定部材とを備えることにより、前記課題を解決できることに着目し、かかる知見に基いて本発明に想到するに至った。
【発明の効果】
【０００７】
以下の実施態様の説明から、本発明のＡ形アルミ製脚立の転倒防止装置は、以下に示す効果を奏することが分かる。
【０００８】
イ．４つの支持棒を床に貼り付けることは、Ａ形アルミ脚立による転倒防止の安定性を向上できる。
ロ．第１支柱と第２支柱のいずれかの外壁が対応位置に物置フックを取り付けるための側棒が設けられ、側棒をＡ形アルミ脚立の上方に立たせたとき、使用者は側棒を掴み安定に立つことができる。側棒によって、高所作業者の安全を向上できる。
ハ．側棒の物置フックは、高所作業者の工具バッグを掛けることができる。
【０００９】
以上をまとめると、本発明のＡ形アルミ脚立転倒防止装置は、Ａ形アルミ脚立転倒防止の安定性を向上させることができ、使用者は側棒を掴み安定に立つことができ、高所作業者の安全性を向上させ、高所作業者の工具バッグを掛けることができる。
【図面の簡単な説明】
【００１０】
【図１】本発明の一実施形態に係るＡ形アルミ脚立転倒防止装置の斜視図である。
【図２】本発明の一実施形態に係る脚立転倒防止装置の側棒をＡ形アルミ脚立の上方に突き出された状態を示す斜視図である。
【図３】本発明の一実施形態に係る脚立転倒防止装置の支持棒を床貼り付ける実施態様による平面図である。
【図４】本発明の一実施形態に係る脚立転倒防止装置の支持棒と、第１支柱及び第２支柱の挟み角度を縮小する状態を示す平面図である。
【図５】本発明の一実施形態に係る脚立転倒防止装置の支持棒と、第１支柱及び第２支柱の挟み角度を縮小して平行状態を形成する平面図である。
【図６】本発明の一実施形態に係る脚立転倒防止装置の支持棒と、連稈を示す平面図である。
【図７】本発明の図６に示す支持棒と、連稈を折り畳む実施形態を示す平面図である。
【図８】本発明の一実施形態に係る脚立転倒防止装置のもう一つの側棒の斜視図である。
【図９】本発明の図８に示す側棒を折り畳む実施態様による平面図である。
【図１０】第１支柱及び第２支柱に２つの延長支持台構造断面を示す平面図である。
【図１１】図１０において、延長支持台を外側に押し出して、第１支柱及び第２支柱の底部の支え面積を増やす実施形態を示す平面図である。
【発明を実施するための形態】
【００１１】
図１と図２により、本発明のＡ形アルミ脚立転倒防止装置１の好ましい実施態様を参照する。４つの支持棒と、一つの棒固定孔と、４つの連稈と、４つの固定部材と、を備える。
【００１２】
そのうち、内部端部を第１支柱Ａと、第２支柱Ｂの下部端部に枢接する４つの支持棒１１と、係る支持棒１１はＬ形の棒体を形成する。
【００１３】
棒固定孔１２は、ほぼ等間隔により、第１支柱Ａと、第２支柱Ｂの下部端部に設ける。
【００１４】
４つの連稈１３は、第１端部１３１と第２端部１３２を有し、第１端部１３１をそれぞれ支持棒１１の中間部分に枢接する。
【００１５】
４つの固定部材１４は、連稈１３の第２端部１３２と第１、第２支柱Ａ、Ｂの棒固定孔１２を穿設することによって、係る連稈を第１、第２支柱柱Ａ、Ｂに連結する。
【００１６】
前述第１支柱Ａと、第２支柱Ｂいずれかの外壁の適切な位置に連結端部１５１と、作業端部１５２を含む側棒１５を対応して設ける。側棒１５の作動端部１５２に物置フック１５３を設けられている。前述第１支柱Ａと、第２支柱Ｂに側棒１５を組み付けた外壁に側棒１５を掛けるための上部固定台１５４と、下部固定台１５５を対応して設ける。
【００１７】
図１と図３に示すように、第１支柱Ａと、第２支柱ＢをＡ形に広げて、作業者が登って立つとき、第１支柱Ａと、第２支柱Ｂの下端部に枢接する支持棒１１を床に貼り付けた上、連稈１３を斜め向きにそれぞれの支持棒１１と、第１支柱Ａと、第２支柱Ｂ下端部の間に連結し、支持棒１１と連稈１３によって組み合わせた転倒防止装置１は、Ａ形アルミ脚立の転倒防止の安定性を向上できる。
【００１８】
引き続き図２を参照する。側棒１５をＡ形アルミ脚立の上方に突き出されたとき、上部固定台１５４によって側棒１５と、第１支柱Ａと、第２支柱Ｂに掛けて、固定される。図１に示すように、側棒１５を第１支柱Ａと、第２支柱Ｂの外壁に折り畳み、下部固定台１５５が側棒１５と、第１支柱Ａと、第２支柱Ｂに掛けて、固定される。
【００１９】
引き続き図４と図５を参照する。Ａ形アルミ脚立を勾配に使用される場合は、支持棒１１と、第１支柱Ａと、第２支柱Ｂの挟み角度を連稈１３の第２端部１３２と第１端部と、第１支柱Ａと、第２支柱Ｂ下端部の異なる位置（下から上へ）の棒固定孔１２を連結すれば、支持棒１１と、第１支柱Ａと、第２支柱Ｂの挟み角度（大きいから小さい）を改変できる。よって、支持棒１１によって、Ａ形アルミ脚立をより安定し、高所作業者の安全を確実に保障できる。
【００２０】
引き続き図６と図７、本発明のもう一つの実施態様による支持棒１１と連稈１３を参照する。支持棒１１を第１、第２支柱Ａ、Ｂ両側の下部空間と、支持棒１１の間に枢設し、第１、第２支柱Ａ、Ｂ両側の下部空間が対応して、長溝１０を設け、連稈１３の上端部を第１、第２支柱Ａ、Ｂ両側の下部空間に枢接し、連稈１３の下部端部は、スクリュー１３０を介して、伸縮棒１３３に連結する。
【００２１】
引き続き図６と、図７を参照する。前述支持棒１１と連稈１３を折り畳むときは、まずスクリュー１３０を操作して、伸縮棒１３３と連稈１３の距離を短縮させ、連稈１３と伸縮棒１３３の距離が０になったときは、支持棒１１の内部端部の枢接場所から長溝１０に沿って下方に移動させると同時に、伸縮棒１３３と連稈１３も長溝１０の下部空間の移動が制限されるまで第１、第２支柱Ａ、Ｂの両側に寄せつける。
【００２２】
引き続き図８と図９、本発明もう一つの実施態様による側棒１５を参照する。第１支柱Ａと、第２支柱Ｂいずれかの外壁の対応場所に両端部が制限孔１５６を有する滑り溝１５０を設け、２つの制限孔１５６は側棒１５の連結端部１５１の嵌着に用いる。２つの制限孔１５６の間に位置するスライド溝１５０を側棒１５の連結端部１５１が移動する軌条に提供し、側棒１５の作動端部１５２を常に上向いて、かつＡ形アルミ脚立の上端部から突き出すことができる。
【００２３】
引き続き図１０と図１１、本発明において、第１、第２支柱Ａ、Ｂ底部の支え面積を増やす実施態様を参照する。第１、第２支柱Ａ、Ｂは複数の踏み板Ｃを対称に設け、最下部の踏み板Ｃの内部に横区間と縦区間を含む２つの延長支持台１６、１６’を設け、延長支持台１６、１６’の横区間を最下部の踏み板Ｃの内部に穿設し、延長支持台Ｃの縦区間は、スクリュー１６２を介して伸縮棒１６１に連結されている。
【００２４】
かかるスクリュー１６２によって、伸縮棒１６１の下部端部を確実に床に貼り付けることができる。２つの延長支持台１６、１６’の横区間を最下部の踏み板Ｃの内部に引き込むことができ、延長支持台１６、１６’の縦区間を第１、第２支柱Ａ、Ｂ下部端部に寄せつけることができる。第１、第２支柱を外側に押し出し、かつ２つの伸縮棒１６１を床に貼り付けることによって、第１、第２支柱Ａ、Ｂ底部の支え面積を増やすことができる。
【符号の説明】
【００２５】
Ａ  第１支柱
Ｂ  第２支柱
Ｃ  天板
１  転倒防止装置
１０  長溝
１１  支持棒
１２  棒固定孔
１３  連稈
１３０  スクリュー
１３１  第１端部
１３２  第２端部
１３３  伸縮棒
１４  固定部材
１５  側棒
１５０  スライド溝
１５１  連結端部
１５２  作動端部
１５３  物置フック
１５４  上部固定台
１５５  下部固定台
１５６  制限孔
１６  延長支持台
１６’  延長支持台
１６１  伸縮棒
１６２  スクリュー
【図１】
2016153547.tif 000003
【図２】
2016153547.tif 000004
【図３】
2016153547.tif 000005
【図４】
2016153547.tif 000006
【図５】
2016153547.tif 000007
【図６】
2016153547.tif 000008
【図７】
2016153547.tif 000009
【図８】
2016153547.tif 000010
【図９】
2016153547.tif 000011
【図１０】
2016153547.tif 000012
【図１１】
2016153547.tif 000013